(57)【要約】【課題】本発明は、カバー部材に観察されるスリットの数をなるべく少なくすることを目的とする。【解決手段】配線用スライダ５０は、配線用レール４２に支持される配線用スライダ本体部５２と、配線用スライダ本体部５２からスライド車両部品に向けて延出する配線ガイド部５６とを含む。ワイヤーハーネス６０の一端側部分が配線用レール４２を通って配線用スライダ５０に導かれスライド車両部品に向けて案内され、ワイヤーハーネス６０の他端側部分は、配線用レール４２の一端部から配線材収容部７０の収容空間Ｓに向けて案内される。カバー部材８０は、スライド支持用レール２０及び配線用レール４２を覆う。カバー部材８０には、スリット８６が形成されている。配線ガイド部５６は、カバー部材８０とスライド支持用レール２０及び配線用レール４２間の空間を経由しスリット８６を通ってカバー部材８０の外方に延出する。【選択図】図４
2014015108.tif 000002
【特許請求の範囲】
【請求項１】
車体に設けられたスライド支持用レールにスライド支持部材を介して移動可能に支持されたスライド車両部品と前記車体との間で配線材を配設するためのスライド配線装置であって、
前記スライド支持用レールに沿って配設可能な配線用レールと、
前記配線用レールに沿って移動可能に支持される配線用スライダ本体部と、前記配線用スライダ本体部から前記スライド車両部品に向けて延出する配線ガイド部とを含む配線用スライダと、
一端側部分が前記配線用レールを通って前記配線用スライダに導かれ、さらに、前記配線ガイド部を経由して前記スライド車両部品に向けて案内されると共に、他端側部分が前記配線用レールの一端部から外方に延出された配線材と、
前記配線用レールの一端部から延出する前記配線材の他端側部分を収容可能な収容空間を有する配線材収容部と、
前記スライド支持用レール及び前記配線用レールを覆うと共に、前記スライド支持部材を移動可能に配設可能なスリットが形成されたカバー部材と、
を備え、
前記配線ガイド部が前記カバー部材と前記スライド支持用レール及び前記配線用レール間の空間を経由し前記スリットを通って前記カバー部材の外方に延出している、スライド配線装置。
【請求項２】
請求項１記載のスライド配線装置であって、
前記配線用レールと前記配線材収容部とが別体に形成されている、スライド配線装置。
【請求項３】
請求項２記載のスライド配線装置であって、
前記配線用レールと前記配線材収容部とが、前記スライド支持用レールの両側に振分けて配設されている、スライド配線装置。
【請求項４】
請求項２又は請求項３記載のスライド配線装置であって、
前記配線材収容部が、前記収容空間の周囲を囲む周壁部を含む、スライド配線装置。
【請求項５】
請求項１〜請求項４のいずれか１つに記載のスライド配線装置であって、
前記配線ガイド部は、前記スライド支持用レール及び前記配線用レールの少なくとも一方の前記カバー部材側の外面にスライド移動可能に配設されている、スライド配線装置。
【発明の詳細な説明】
【技術分野】
【０００１】
この発明は、スライドシート等に対して給電等を行うためのスライド配線装置に関する。
【背景技術】
【０００２】
従来、スライドシート等にワイヤーハーネスを接続する技術として、特許文献１に開示の技術がある。
【０００３】
特許文献１は、車体と、この車体にスライド自在に設けられたシートとに亘って電線を配索するための、スライド配索装置を開示している。
【０００４】
スライド配索装置は、レールと、レールに移動自在に支持されたスライダと、レールを収容するケース部とを備えている。ケース部には、レールに支持されたスライダを外部に導くスリットが設けられている。
【先行技術文献】
【特許文献】
【０００５】
【特許文献１】特開２００６−３５９６２号公報
【発明の概要】
【発明が解決しようとする課題】
【０００６】
特許文献１に開示の技術では、スライド配索装置は、シートを移動自在に支持する支持機構に並設されることになる。このため、シートを移動自在に支持するためのシート用スライダを外部に延出させるための一対のスリットとは別に、上記ケース部に設けられたスリットが設けられることになり、多数のスリットが外部から観察されてしまう。車両のフロアに多数のスリットが観察されてしまうと、フロア内にゴミ等が入り易くなるという問題、或は、見栄え上好ましくないという問題を生じる。
【０００７】
そこで、本発明は、カバー部材に観察されるスリットの数をなるべく少なくすることを目的とする。
【課題を解決するための手段】
【０００８】
上記課題を解決するため、第１の態様は、車体に設けられたスライド支持用レールにスライド支持部材を介して移動可能に支持されたスライド車両部品と前記車体との間で配線材を配設するためのスライド配線装置であって、前記スライド支持用レールに沿って配設可能な配線用レールと、前記配線用レールに沿って移動可能に支持される配線用スライダ本体部と、前記配線用スライダ本体部から前記スライド車両部品に向けて延出する配線ガイド部とを含む配線用スライダと、一端側部分が前記配線用レールを通って前記配線用スライダに導かれ、さらに、前記配線ガイド部を経由して前記スライド車両部品に向けて案内されると共に、他端側部分が前記配線用レールの一端部から外方に延出された配線材と、前記配線用レールの一端部から延出する前記配線材の他端側部分を収容可能な収容空間を有する配線材収容部と、前記スライド支持用レール及び前記配線用レールを覆うと共に、前記スライド支持部材を移動可能に配設可能なスリットが形成されたカバー部材と、を備え、前記配線ガイド部が前記カバー部材と前記スライド支持用レール及び前記配線用レール間の空間を経由し前記スリットを通って前記カバー部材の外方に延出している。
【０００９】
第２の態様は、第１の態様に係るスライド配線装置であって、前記配線用レールと前記配線材収容部とが別体に形成されている。
【００１０】
第３の態様は、第２の態様に係るスライド配線装置であって、前記配線用レールと前記配線材収容部とが、前記スライド支持用レールの両側に振分けて配設されている。
【００１１】
第４の態様は、第２又は第３の態様に係るスライド配線装置であって、前記配線材収容部が、前記収容空間の周囲を囲む周壁部を含む。
【００１２】
第５の態様は、第１〜第４のいずれか１つの態様に係るスライド配線装置であって、前記配線ガイド部は、前記スライド支持用レール及び前記配線用レールの少なくとも一方の前記カバー部材側の外面にスライド移動可能に配設されている。
【発明の効果】
【００１３】
第１の態様によると、カバー部材に、スライド支持部材を移動可能に配設可能なスリットが形成され、配線ガイド部も、このスリットを通ってカバー部材の外方に延出している。このため、カバー部材に形成すべきスリットの数をなるべく少なくすることができる。
【００１４】
第２の態様によると、前記配線用レールと前記配線材収容部との形状を簡易化でき、それら各部品を容易に製造できる。
【００１５】
第３の態様によると、配線用レールと収容空間との間隔を大きくして、それらの間での配線材の曲率半径を大きくすることができる。これにより、配線用レールから収容空間に至る部分で配線材を円滑に曲げ変形させることができる。
【００１６】
第４の態様によると、前記カバー部材が、前記収容空間の周囲を囲む周壁部を含む形状であるため、その周壁部の立設方向において頑丈な構成とすることができる。これにより、配線材収容部を樹脂で形成したり、薄手の部材で形成したりして、それらの軽量化を図ることができる。
【００１７】
第５の態様によると、配線ガイド部を簡易な構成で円滑にスライド移動させることができる。
【図面の簡単な説明】
【００１８】
【図１】スライドシート支持装置及びスライド配線装置を示す概略斜視図である。
【図２】スライドシート支持装置及びスライド配線装置を示す一部分解斜視図である。
【図３】スライドシート支持装置及びスライド配線装置を示す一部分解斜視図である。
【図４】図２の部分拡大図である。
【図５】図２のＶ−Ｖ線断面図である。
【図６】変形例を示す図である。
【発明を実施するための形態】
【００１９】
以下、実施形態に係るスライド配線装置について説明する。本実施形態では、スライド車両部品としてスライドシートを想定した例、即ち、スライド配線装置がスライドシート支持装置に適用された例で説明する。もっとも、本スライド配線装置自体は、車両に搭載された各種スライド車両部品をスライド移動可能に支持する構成において、当該スライド車両部品と車体との間で、電源線、信号線等の配線材を配索する構成として採用することができる。
【００２０】
図１は、スライドシート１２を移動可能に支持するスライドシート支持装置１０及びスライドシート支持装置１０に組込まれたスライド配線装置４０を示す概略斜視図である。
【００２１】
スライドシート支持装置１０は、車両のスライドシート１２を車両の前後方向に移動可能に支持する装置であり、一対のスライド支持用レール２０と、一対のスライド支持部材３０とを備える。
【００２２】
一対のスライド支持用レール２０は、車体のフロアの上面に設けられた長尺部材であり、間隔をあけて平行状態で設けられている。フロアに対するスライド支持用レールの固定は、ボルト締等により行われる。
【００２３】
一対のスライド支持部材３０の基端部は、それぞれ上記一対のスライド支持用レール２０にその長手方向に沿って移動可能に支持されている。スライド支持部材３０の上端部は、スライド支持用レール２０の上方に突出している。一対のスライド支持部材３０の上端部は、スライド支持用レール２０の座部の両側部に固定されている。これにより、スライドシート１２が一対のスライド支持部材３０を介して一対のスライド支持用レール２０にそれらの長手方向に沿って移動可能に支持される。
【００２４】
そして、一対のスライド支持部材３０が一対のスライド支持用レール２０に沿って移動することによって、車両前後方向におけるスライドシート１２の位置調整がなされる。
【００２５】
また、スライドシート１２には、着座センサ等の各種センサ、姿勢変更を行うためのモータ等の各種駆動源等の各種電気部品が設けられる。また、車体側には、上記各種電気部品に対して信号を送受する電子制御ユニット或は電力を供給する電源等の各種電気部品が設けられる。本スライド配線装置４０は、スライドシート１２と車体との間で配線材であるワイヤーハーネス６０を配設し、もって、スライドシート１２側の電気部品と車体側の電気部品とを電気的に接続するための装置である。本スライド配線装置４０は、好ましくは、一方のスライド支持用レール２０に組込まれる。
【００２６】
図２及び図３はスライドシート支持装置１０及びスライド配線装置４０を示す一部分解斜視図であり、図４は図２の部分拡大図であり、図５は図２のＶ−Ｖ線断面図である。図２ではスライド支持部材３０及び配線用スライダ５０がスライド支持用レール２０及び配線用レール○○の一端部よりの位置にあり、図３ではスライド支持部材３０及び配線用スライダ５０がスライド支持用レール２０及び配線用レール４２の他端部よりの位置にある。
【００２７】
スライドシート支持装置１０は、上記したように、一対のスライド支持用レール２０と、一対のスライド支持部材３０とを備える。
【００２８】
スライド支持用レール２０は、一主面（上面）に線状開口部２１が形成された長尺部材に形成されている。このスライド支持用レール２０は、上記スライド支持部材３０を、前記線状開口部２１を通じて部分的に外部に露出させた状態で移動可能に支持する。
【００２９】
より具体的には、内部に長尺空間が形成されると共に一主面に線状開口部２１が形成されるように、細長金属板等を略筒状に折曲げることにより、スライド支持用レール２０が形成されている。スライド支持用レール２０は、金属等を曲げ加工することによる他、樹脂の成型品等によって形成されていてもよい。
【００３０】
線状開口部２１は、スライド支持用レール２０の上面にその延在方向に沿って形成されている。この線状開口部２１の両側部からスライド支持用レール２０の内部に向けて側壁部２２が延出している。この側壁部２２には、スライド支持部材３０をスライド支持用レール２０の長手方向に沿った一定位置で位置決め保持するための凹部が断続的に形成されている（図２及び図３参照）。
【００３１】
スライド支持用レール２０内部の長尺空間は、スライド支持部材３０の可動支持端部３２を移動可能に収容可能に形成されている。ここでは、長尺空間として、一対の側壁部２２間に中央空間２３ａが形成されると共に一対の側壁部２２の外側方に一対の側方空間２３ｂが形成されている。そして、中央空間２３ａ及び一対の側方空間２３ｂに、スライド支持部材３０の可動支持端部３２がその長手方向に沿って移動可能に収容される。
【００３２】
また、スライド支持用レール２０のうち上記線状開口部２１を挟む両側部分の外向き面２５（上向き面）は、スライド支持用レール２０の延在方向に沿って延びる細長い面に形成されている。この外向き面２５上に、後述する配線ガイド部５６がスライド移動可能に支持される。
【００３３】
スライド支持部材３０は、金属板等により形成された部材であり、上記スライド支持用レール２０内に移動可能に支持される可動支持端部３２とスライドシート１２を支持する支持端部３４とを含む。支持端部３４は、ねじ固定構造、嵌め込み構造等の固定構造によってスライドシート１２に固定される。可動支持端部３２は、支持端部３４から下方に突出している。可動支持端部３２は、２枚の板状部材が重ね合せられた部分３２ａと、２枚の板状部材の先端部を外方に略Ｕ字状に折曲げた折曲げ部分３２ｂとを含む。そして、重ね合せられた部分３２ａを線状開口部２１及び中央空間２３ａ内に配設すると共に、一対の折曲げ部分３２ｂを、一対の側壁部２２の先端側空間を通って一対の側方空間２３ｂ内に配設した状態で、スライド支持部材３０がスライド支持用レール２０に沿って移動可能に支持される。なお、一対の折曲げ部分３２ｂの先端部外面にローラ３５が回転自在に取付けられており、このローラ３５が側方空間２３ｂの内面に対して従動回転することで、一対の折曲げ部分３２ｂが一対の側方空間２３ｂ内を円滑に移動できる。このスライド支持部材３０は、スライドシート１２の可動範囲に合わせた範囲内でスライド支持用レール２０に沿って移動可能に支持されている。ここでは、スライド支持部材３０は、スライド支持用レール２０の一端部から他端部の範囲内で移動可能とされている。
【００３４】
スライド配線装置４０は、配線用レール４２と、配線用スライダ５０と、配線材としてのワイヤーハーネス６０と、配線材収容部７０と、カバー部材８０とを備える。
【００３５】
配線用レール４２は、上記スライド支持用レール２０に沿って配設可能な長尺部材に形成されている。配線用レール４２は、その長手方向に沿って配線用スライダ５０を移動可能に支持すると共に、内部にワイヤーハーネス６０の一端側部分を移動可能に収容可能に構成されている。
【００３６】
より具体的には、配線用レール４２は、樹脂等によって形成された部材であり、レール本体部４３と、カバー支持部４５と、側方部４７とを備える。
【００３７】
レール本体部４３は、一主面（上面）に線状開口部４４が形成された角筒状に形成されている。ここでは、線状開口部４４は、一側方、より具体的には、スライド支持用レール２０側に偏った位置に形成されている（図５参照）。レール本体部４３内の空間の幅及び高さは、ワイヤーハーネス６０の直径と同じ又はこれよりも大きく、その長手方向に沿って移動可能にワイヤーハーネス６０を収容できるようになっている。
【００３８】
カバー支持部４５は、カバー部材８０を支持可能に構成されている。ここでは、カバー支持部４５は、レール本体部４３一主面（上面）に、線状開口部４４に沿うように突出形成されている。カバー支持部４５は、間隔をあけて並設された一対の側壁部４６を含み、当該一対の側壁部４６間のスリット状開口が上方に向けて開口している。一対の側壁部４６間の幅は、一対の側壁部４６の基端部よりも開口端部側で狭くなっている（図５参照）。
【００３９】
側方部４７は、レール本体部４３の一側方、より具体的には、スライド支持用レール２０側に設けられている。側方部４７は、レール本体部４３の一側部から外側方（スライド支持用レール２０側）に向けて延出し、その端部で下方に向けて曲る、横断面Ｌ字状に形成されている。この側方部４７のうちカバー部材８０側の外向き面４８（上向き面）は、スライド支持用レール２０の延在方向に沿って延びる細長い面に形成されている。この外向き面４８は、レール本体部４３の上面の高さ位置よりもカバー部材８０側にあり、上記スライド支持用レール２０の外向き面２５と同高さ位置に位置するように設定されている。
【００４０】
この配線用レール４２は、配線用スライダ５０を移動可能に支持する部材であるため、それ程強い強度は必要とされていない。このため、上記のように樹脂等で形成することができる。もっとも、配線用レール４２は金属等で形成されていてもよい。
【００４１】
配線用スライダ５０は、配線用スライダ本体部５２と、配線ガイド部５６とを含む。ここでは、配線用スライダ本体部５２と配線ガイド部５６とは、樹脂等によって一体形成された部材である。勿論、配線用スライダ本体部５２は、複数の分割部材の組合わせによって構成されていてもよいし、また、一部又は全部が金属等で形成されていてもよい。
【００４２】
配線用スライダ本体部５２は、上記配線用レール４２にその長手方向に沿って移動可能に支持可能に構成される。より具体的には、配線用スライダ本体部５２は、レール本体部４３内に配設可能な角筒状の部材に形成されており、内部にワイヤーハーネス６０を挿通できるようになっている。配線用スライダ本体部５２の両側部及び底部には、レール本体部４３内でのがたつきを抑制するための部分的な突起部５２ｐが形成されているが、これは必須ではない。
【００４３】
配線ガイド部５６は、配線用スライダ本体部５２からスライドシート１２に向けて延出するように設けられている。より具体的には、配線ガイド部５６は、配線用スライダ本体部５２のうち配線用レール４２の線状開口部４４内に面する部分から延出するように形成されている。配線ガイド部５６は、線状開口部４４を通るように上方に延び、配線用レール４２の外向き面４８上からスライド支持用レール２０の外向き面２５上を通って延びるように水平姿勢で延在し、スライド支持用レール２０の線状開口部２１に達する位置で当該線状開口部２１の上方に向けて延びる、筒状部材に形成されている。配線ガイド部５６の先端部は、スライドシート１２に向けて延びている。ここでは、配線ガイド部５６の先端部は、スライド支持部材３０の上端部近傍位置に達するように延びている。
【００４４】
配線ガイド部５６のうち配線用レール４２の外向き面４８上に位置する部分は、当該外向き面４８上をスライド移動可能に構成されている。ここでは、配線ガイド部５６のうち配線用レール４２の外向き面４８上に位置する部分に突起部５６ｐが形成され、当該突起部５６ｐを外向き面４８に摺接させた状態で、配線ガイド部５６が配線用レール４２の外向き面４８上をスライド移動するようになっている。勿論、突起部５６ｐは省略されていてもよい。なお、配線ガイド部５６とカバー部材８０の下面との間には隙間が空いていることが好ましい。
【００４５】
また、配線ガイド部５６のうちスライド支持用レール２０の線状開口部２１の上方に向けて延びる部分は、ここでは、斜め上方に向けて延びているが、直上に向けて延びていてもよい。配線ガイド部５６のうちスライド支持用レール２０の線状開口部２１の上方に向けて延びる部分は、スライド支持用レール２０の長手方向に沿って視た場合に、スライド支持部材３０と重なっており、カバー部材８０のスリット８６間を通ってカバー部材８０の外部に延出できればよい。
【００４６】
配線ガイド部５６の内部は、ワイヤーハーネス６０を挿通可能な空間が形成されており、この空間は配線用スライダ本体部５２内の空間と繋がっている。
【００４７】
そして、配線用スライダ本体部５２内に導入されたワイヤーハーネス６０の一端側部分が、配線ガイド部５６内の空間を通ってその先端側に導かれるようになっている。これにより、ワイヤーハーネス６０の一端部が、配線ガイド部５６の先端部より延出してスライドシート１２に近い位置、即ち、スライドシート１２の電気部品に他のワイヤーハーネス、コネクタ等を介して接続可能な位置に案内される。
【００４８】
また、配線ガイド部５６は、スライド支持部材３０に連結されており、当該スライド支持部材３０と一体的に移動できるようになっている。より具体的には、配線ガイド部５６の中間部に、配線用レール４２の線状開口部２１に沿って延びる取付片５７が延設されている。この取付片５７は、スライド支持部材３０に対してネジ止、係止構造等によって取付固定される。これにより、配線用スライダ５０が、スライド支持部材３０と共に、スライド支持用レール２０及び配線用レール４２の長手方向に沿って一体的に移動する。
【００４９】
ワイヤーハーネス６０は、複数の電線を線状に束ねることにより形成されている。このワイヤーハーネス６０の一部、より具体的には、配線材収容部７０及び配線用レール４２内に配設される部分には、コルゲートチューブが装着されていてもよい。コルゲートチューブは、樹脂等により形成された部材であり、大径部と小径部とが交互に形成された筒形状に形成されている。かかるコルゲートチューブは、主として大径部と小径部との間で弾性変形することで、容易に曲げ変形できる。従って、ワイヤーハーネス６０をコルゲートチューブ内に挿通することで、ワイヤーハーネス６０を周辺部材と接触から保護しつつ、当該ワイヤーハーネス６０を自由に曲げ変形させることができる。
【００５０】
ワイヤーハーネス６０の両端部には、それぞれコネクタ６２が接続されている（図４及び図５において一端部のコネクタ６２のみ図示）。ワイヤーハーネス６０の一端部のコネクタ６２はスライドシート１２側のコネクタに接続され、ワイヤーハーネス５０の他端部のコネクタは車体側のコネクタに接続される。
【００５１】
ワイヤーハーネス６０は、配線用スライダ５０の移動範囲に応じた長さ寸法に、スライドシート１２及び車体への接続取り回しに要する長さ寸法を足した程度の長さ寸法に設定されている。そして、ワイヤーハーネス６０の一端側部分が配線用レール４２内の空間を通って上記配線用スライダ５０に導かれると共に、配線用スライダ本体部５２及び配線ガイド部５６を経由して、スライドシート１２側のコネクタに接続可能なようにスライドシート１２に向けて案内される。また、ワイヤーハーネス６０の他端側部分は、配線用レール４２の他端部から外方に延出され、配線材収容部７０内を経由して車体側のコネクタに接続可能なように案内される。
【００５２】
なお、ワイヤーハーネス６０の一端側部分は、上記したように、配線用スライダ５０内に挿通されることで、当該配線用スライダ５０に連結されている。ワイヤーハーネス６０の一端側部分は、他の固定部材、例えば、粘着テープ、結束タイ等による巻回固定等によって配線用スライダ５０に対して固定されていてもよい。
【００５３】
なお、ワイヤーハーネス６０の両端部は分岐していてもよい。また、ワイヤーハーネス６０としては、上記の他、フラットケーブル等を用いてもよい。
【００５４】
配線材収容部７０は、配線用レール４２の一端部から延出するワイヤーハーネス６０の他端側部分を収容可能な収容空間Ｓを有するケースとして構成されている。
【００５５】
より具体的には、配線材収容部７０は、樹脂等で形成された部材であり、平面視において、細長形状部分７０ａの一側部の一端部に張出部７０ｂが突出する形状に形成されている。細長形状部分７０ａは、上記スライド支持用レール２０の側部であって上記配線用レール４２の反対側に設けられる。
【００５６】
張出部７０ｂは、スライド支持用レール２０の幅に配線用レール４２の幅を加算した寸法程度の突出寸法に形成されている。細長形状部分７０ａの一端部と張出部７０ｂとは全体として、外側に凸となる半円弧を画いている。そのうち、張出部７０ｂは、４分の１の円弧を描いている。そして、細長形状部分７０ａをスライド支持用レール２０の長手方向に沿って配設した状態で、張出部７０ｂのうち半径に相当する部分が、がスライド支持用レール２０の及び配線用レール４２の一端部に対向して配設されるようになっている。
【００５７】
また、配線材収容部７０は、収容空間Ｓの周囲を囲む周壁部７２を含む。より具体的には、周壁部７２は、上記細長形状部分７０ａ及び張出部７０ｂの外周に沿って形成されている。周壁部７２は、細長形状部分７０ａの両側部では直線状に延びる細長板形状部分７２ａに形成され、細長形状部分７０ａの他端部では半円弧板状部分７２ｂに形成され、細長形状部分７０ａの一端部及び張出部７０ｂでも半円弧板状部分７２ｃに形成され、張出部７０ｂの半径相当部分では直線状に延びる板形状部分７２ｄに形成されている。周壁部７２の高さは、ワイヤーハーネス６０の直径よりも大きい。
【００５８】
周壁部７２のうち配線用レール４２の一端部に対向する部分である板形状部分７２ｄには、開口７２ｈが形成されている。張出部７０ｂは、配線用レール４２の一端部に対して直接又は間接的に、嵌め込み構造、ねじ止構造等により連結可能に構成されている。この連結状態で、配線用レール４２の内部空間と、張出部７０ｂの内部空間とが開口７２ｈを介して連通するようになっている。そして、この連結状態において、配線材収容部７０がスライド支持用レール２０に対して一定の位置関係となるように配設される。
【００５９】
また、細長形状部分７０ａの一端部及び張出部７０ｂ内には、内側ガイド壁部７３が形成されている。内側ガイド壁部７３は、周壁部７２の半円弧板状部分７２ｃよりも内側の半円弧板状部分７３ａと、半円弧板状部分７３ａの細長形状部分７０ａ側端部から湾曲しつつ張出部７０ｂの先端部に向けて延びる導出ガイド板状部分７３ｂとを含む。周壁部７２の半円弧板状部分７２ｃと内側ガイド壁部７３の半円弧板状部分７３ａとの間には、ワイヤーハーネス６０を配設可能な隙間が形成され、周壁部７２の板形状部分７２ｄと内側ガイド壁部７３の導出ガイド板状部分７３ｂとの間にも、ワイヤーハーネス６０を配設可能な隙間が形成されている。
【００６０】
また、張出部７０ｂのうち周壁部７２の板形状部分７２ｄと内側ガイド壁部７３の導出ガイド板状部分７３ｂとの間及びその延長上の底部には、ワイヤーハーネス６０を外部に導出する導出口７０ｃが形成されている。ここでは、張出部７０ｂのうち周壁部７２の板形状部分７２ｄと内側ガイド壁部７３の導出ガイド板状部分７３ｂとの間の底部が、内側ガイド壁部７３の半円弧板状部分７３ａよりも下方に位置するように、外方に向けて下向き傾斜する形状部分に形成され、その部分の先端部が外方に向けて開口することで、導出口７０ｃが形成されている。
【００６１】
また、上記内側ガイド壁部７３によって囲まれる部分には、天井部７４が形成されている。天井部７４は、六角形の凹形状部分がなるべく隙間が小さくなるように並べられた構造、すなわち、一種のハニカム構造とされている。なお、天井部７４は、張出部７０ｂでは、その底部の傾斜形状に合わせてその先端部に向けて徐々に高さ寸法が低くなるように形成されている。
【００６２】
上記配線材収容部７０で、周壁部７２によって囲まれる空間、特に、周壁部７２のうち一対の細長板形状部分７２ａ及び半円弧板状部分７２ｂと、内側ガイド壁部７３のうち導出ガイド板状部分７３ｂとで囲まれる空間によって、ワイヤーハーネス６０の余長部分を収容する収容空間Ｓが形成されている。
【００６３】
収容空間Ｓは、配線用スライダ５０が配線用レール４２の一端部に最も近づいた状態で、配線用レール４２から延出するワイヤーハーネス６０の他端側部分を曲げた状態で収容可能な大きさに形成されている。ここでは、配線用スライダ５０は、配線用レール４２の一端部位置にまで移動可能であるため、ワイヤーハーネス６０のほとんどの部分が配線用レール４２の一端部から延出する。このため、上記収容空間Ｓは、ワイヤーハーネス６０のほとんどの部分を曲げた状態で収容可能に形成されている。ここでは、収容空間Ｓは、ワイヤーハーネス６０をＵ字状に曲げた状態で収容可能な形状及び大きさに形成されている。
【００６４】
配線材収容部７０がスライド支持用レール２０及び配線用レール４２に対して一定位置に配設された状態で、配線用レール４２の一端部より延出するワイヤーハーネス６０の他端側部分は、周壁部７２の半円弧板状部分７２ｃと内側ガイド壁部７３の半円弧板状部分７３ａとの間の円弧溝状空間を通って、収容空間Ｓ内に導かれる。そして、ワイヤーハーネス６０は、収容空間Ｓ内で余長に応じた曲げられた形態を経た後、周壁部７２の板形状部分７２ｄと内側ガイド壁部７３の導出ガイド板状部分７３ｂとの間の隙間を通って、導出口７０ｃから外部に導出される。
【００６５】
配線用スライダ５０がその移動範囲内で配線用レール４２の一端部に最も近い位置に配設された状態（図２及び図４参照）では、収容空間Ｓ内に導かれたワイヤーハーネス６０の他端側部分は、収容空間Ｓ内で、配線用レール４２から遠い側の細長板形状部分７２ａに沿って配設され、細長形状部分７０ａの他端部の半円弧板状部分７２ｂに沿って半円弧状に曲げられ、さらに、配線用レール４２に近い側の細長板形状部分７２ａに沿って配設された状態となる。このため、配線用レール４２から延出する比較的長いワイヤーハーネス６０の他端側部分が、一対の細長板形状部分７２ａに沿った部分で十分に吸収された状態となる。
【００６６】
また、配線用スライダ５０がその移動範囲内で配線用レール４２の一端部から最も遠い位置に配設された状態（図３参照）では、収容空間Ｓ内に導かれたワイヤーハーネス６０の他端側部分は、収容空間Ｓ内で、内側ガイド壁部７３の導出ガイド板状部分７３ｂに沿って配設された状態となる。この状態では、ワイヤーハーネス６０の他端側部分のうち一対の細長板形状部分７２ａに相当する長さ部分が、上記配線用レール４２内に送込まれている。
【００６７】
そして、配線用スライダ５０の移動に伴って、図２に示す状態から図３に示す状態へ、或は、その逆に変化する。つまり、配線用スライダ５０の移動に伴い、配線用レール４２から延出するワイヤーハーネス６０の他端側部分の長さ寸法が変動するので、当該変動に応じて配線材収容部７０内におけるワイヤーハーネス６０の屈曲態様を追従変化させて当該長さ寸法の変動に対応する。
【００６８】
より具体的には、配線用スライダ５０が配線用レール４２の一端部よりにある状態（図２）から配線用レール４２の他端部（中間部）に向けて移動する場合、配線用スライダ５０の移動によってワイヤーハーネス６０の一端側部分が配線用レール４２内空間を通って他端部（中間部）に向けて引張られる。これにより、配線材収容部７０内に収容されていたワイヤーハーネス６０の他端側部分が当該配線材収容部７０から引出され、配線用レール４２の一端側開口より配線用レール４２内に導入される。これにより、ワイヤーハーネス６０を配線用レール４２に沿ってガイドすることで、当該ワイヤーハーネス６０が周辺部材に干渉することを抑制しつつ、配線用スライダ５０を円滑に配線用レール４２の他端側に移動させることができる。逆に、配線用スライダ５０が配線用レール４２の他端部（中間部）よりにある状態（図３）から配線用レール４２の一端部に向けて移動する場合、配線用スライダ５０の移動によってワイヤーハーネス６０の他端側部分が配線用レール４２内空間を通ってその一端側開口に向けて押出される。これにより、ワイヤーハーネス６０のうち配線用レール４２内に収容されていた部分が配線材収容部７０に向けて押込まれる。これにより、ワイヤーハーネス６０の他端側部分が収容空間Ｓ内に押込まれる。収容空間Ｓ内に押込まれたワイヤーハーネス６０の部分は、周壁部７２の半円弧板状部分７２ｂ等の内壁面に規制されつつより大きな略Ｕ字形状を描くように変形しつつ、収容空間Ｓ内に収容される。これにより、配線用スライダ５０を配線用レール４２の一端部側に移動させることで、不要となったワイヤーハーネス６０の他端側部分を収容空間Ｓ内に円滑に収容することができ、当該ワイヤーハーネス６０が周辺部材に干渉することを抑制しつつ、配線用スライダ５０を円滑に配線用レール４２の一端側に移動させることができる。
【００６９】
なお、ここでは、配線材収容部７０の上方開口は、蓋部７８によって閉塞されている。蓋部７８の少なくとも一部、ここでは、蓋部７８のうち、天井部７４を除く領域を閉塞する部分は、六角形の凹形状部分が、なるべく隙間が小さくなるように並べられた構造、すなわち、一種のハニカム構造とされている。
【００７０】
カバー部材８０は、上記スライド支持用レール２０及び配線用レール４２を覆うと共に、スライド支持部材３０を移動可能に配設可能なスリット８６が形成された構成とされている（図５参照）。
【００７１】
より具体的には、カバー部材８０は、一対の分割カバー部材８２を備えている。
【００７２】
分割カバー部材８２は、樹脂等で形成された部材であり、主板部８３と、弾性片部８４と、固定脚部８５とを備える。
【００７３】
主板部８３は、スライド支持用レール２０及び配線用レール４２の長手方向に沿って延びる細長板状部材に形成されている。この主板部８３によって、スライド支持用レール２０の一側部及び配線用レール４２又はスライド支持用レール２０の他側部を覆い隠すことができるようになっている。
【００７４】
弾性片部８４は、主板部８３の一側部から相手側の主板部に向けて延びる細長い板状部分であり、その基端部から先端部の間の少なくとも一部が薄手の弾性変形容易な部分に形成されている。ここでは、弾性片部８４の基端部が薄手で弾性変形容易な部分に形成されている。一対の分割カバー部材８２が後述するように並列配置された状態で、一対の弾性片部８４は互いに相手側の弾性片部８４側に向けて延びた姿勢となり、一対の弾性片部８４の隙間をなるべく小さくなるようにしている。一対の弾性片部８４間のうちスライド支持部材３０が配設された箇所では、一対の弾性片部８４の一部分が斜め上方に持上がるように弾性変形し、一対の弾性片部８４間にスライド支持部材３０を配設可能な隙間が形成される。一対の弾性片部８４が部分的に変形して隙間を形成する箇所は、スライド支持部材３０の移動に追随して移動する。
【００７５】
固定脚部８５は、分割カバー部材８２をスライド支持用レール２０の上方位置に固定するための部分である。ここでは、固定脚部８５は、主板部８３のうちスライド支持用レール２０側の面に主板部８３の長手方向に沿って垂下状に設けられた長尺板状部分に形成されている。固定脚部８５の下端部は、その基端部よりも肉厚に形成されている。そして、一方側のカバー部材８０については、その固定脚部８５を、カバー支持部４５に嵌め込み固定することで、その主板部８３がスライド支持用レール２０の一側部及び配線用レール４２の上方を覆うように配設される。また、他方側のカバー部材８０については、その固定脚部８５を上記カバー支持部４５と同様構成のカバー支持部４５Ｂに嵌め込み固定することで、その主板部８３がスライド支持用レール２０の他側部の上方を覆うように配設される。なお、カバー支持部４５Ｂは、配線材収容部７０に設けられたものであってもよいし、スライド支持用レール２０に設けられたものであってもよい。
【００７６】
上記のように分割カバー部材８２がスライド支持用レール２０及び配線用レール４２の上方に配設された状態で、一対の主板部８３の間にスライド支持部材３０を移動可能に配設可能なスリット８６が形成される。ここでは、スリット８６は、線状開口部２１の上方位置に設けられている。
【００７７】
そして、上記配線ガイド部５６が、一方側の分割カバー部材８２とスライド支持用レール２０の一側部及び配線用レール４２間の空間を経由し、さらに、前記スリット８６を通ってカバー部材８０の外方に延出している。
【００７８】
なお、カバー部材８０を上記位置に配設するための構成は、上記例に限られない。スライド支持用レール２０、配線用レール４２等に対してネジ止等で固定されていてもよし、車体のフロアにネジ止、嵌め込み構造等で固定されていてもよい。
【００７９】
なお、カバー部材８０と配線材収容部７０との間等の空間には、ウレタン発泡樹脂等が充填されていることが好ましい。
【００８０】
このように構成されたスライド配線装置４０では、スライドシート１２の移動に伴って、当該スライドシート１２を支持するスライド支持部材３０と、配線用スライダ５０とが一体となって、スライド支持用レール２０及び配線用レール４２に沿って移動する。そして、配線用スライダ５０の移動に伴って、配線用レール４２から延出するワイヤーハーネス６０の他端側部分（余長部分）の長さ寸法が変動するところ、当該ワイヤーハーネス６０の余長部分は配線材収容部７０の収容空間Ｓ内に収容される。このため、配線用スライダ５０の移動に伴うワイヤーハーネス６０の余長は、円滑に配線材収容部７０に吸収されることになる。
【００８１】
以上のように構成されたスライド配線装置４０によると、カバー部材８０に、スライド支持部材３０を移動可能に配設可能なスリット８６が１つだけ形成されている。そして、配線ガイド部５６も、当該スリット８６を通ってカバー部材８０の外方に延出し、当該配線ガイド部５６から延出するワイヤーハーネス６０の一端部がスライドシート１２側のコネクタに接続される。このため、カバー部材８０に形成すべきスリット８６の数をなるべく少なくすることができる。これにより、車体のフロアが見栄え上よくなる。また、カバー部材８０内にゴミ等が入り難くなる。
【００８２】
また、配線用レール４２と、配線材収容部７０とが別体に形成されているため、各部品の形状を簡易化でき、それら各部品を容易に製造できる。また、スライドシート１２の移動範囲に応じて大型化し易いこれらの部品を、小型化でき、その運搬等の取扱も容易となる。
【００８３】
さらに、配線用レール４２と配線材収容部７０とがスライド支持用レール２０の両側に振分けて配設されているため、配線用レール４２の一端部と配線材収容部７０の収容空間Ｓとの距離をなるべく大きく離すことができる。これにより、配線用レール４２の一端部から延出するワイヤーハーネス６０の他端側部分が配線材収容部７０の収容空間Ｓに至る部分で、ワイヤーハーネス６０の曲率半径を大きくすることができる（半円弧板状部分７２ｃ参照）。これにより、配線用レール４２から収容空間Ｓに至る部分で、ワイヤーハーネス６０を円滑に曲げ変形させて、収容空間Ｓに対してワイヤーハーネス６０を円滑に出し入れすることができる。
【００８４】
また、カバー部材８０は、収容空間Ｓの周囲を囲む周壁部７２を含む形状であるため、その周壁部７２の立設方向において頑丈な構成とすることができる。これにより、配線材収容部７０を樹脂等で形成したり、或は、薄手の部材（金属板）等で形成したりして、それらの軽量化を図ることができる。
【００８５】
また、配線用レール４２についても、樹脂等で形成したり、或は、薄手の部材（金属板）等で形成したりして、それらの軽量化を図るようにしてもよい。
【００８６】
なお、配線用レール４２と配線材収容部７０との間に金属製の頑丈なスライド支持用レール２０が存在するため、配線用レール４２と配線材収容部７０とがスライド支持用レール２０によって強度補強される。この点も、配線用レール４２と配線材収容部７０とを樹脂等で形成して、軽量化を図ることに貢献している。
【００８７】
また、配線ガイド部５６は、スライド支持用レール２０の外向き面２５をスライド移動するため、配線ガイド部５６を簡易な構成で円滑にスライド移動させることができる。
【００８８】
なお、配線ガイド部５６は、配線用レール４２の外向き面４８上をスライド移動する構成、又は、スライド支持用レール２０の外向き面２５及び配線用レール４２の外向き面４８の双方上をスライド移動する構成であってもよい。
【００８９】
なお、上記実施形態では、配線用レール４２と配線材収容部７０とが別体とされた例で説明したが、必ずしもその必要はない。
【００９０】
図６に示すように、配線用レール４２に対応する配線用レール１４２と配線材収容部７０に対応する配線材収容部１７０とが一体とされていてもよい。この場合、配線用レール１４２内の空間と配線材収容部１７０内の収容空間Ｓとは繋がっていてもよいし、隔壁等で隔てられていてもよい。この場合、配線用レール１４２と配線材収容部１７０との一体化物は、スライド支持用レール２０の一側部に配設されることとなる。
【００９１】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００９２】
１０  スライドシート支持装置
１２  スライドシート
２０  スライド支持用レール
２１  線状開口部
２５  外向き面
３０  スライド支持部材
４０  スライド配線装置
４２、１４２  配線用レール
４３  レール本体部
４８  外向き面
５０  配線用スライダ
５２  配線用スライダ本体部
５２  配線用スライダ本体部
５６  配線ガイド部
６０  ワイヤーハーネス
７０、１７０  配線材収容部
７２  周壁部
８０  カバー部材
８２  分割カバー部材
８６  スリット
Ｓ  収容空間
【図１】
2014015108.tif 000003
【図２】
2014015108.tif 000004
【図３】
2014015108.tif 000005
【図４】
2014015108.tif 000006
【図５】
2014015108.tif 000007
【図６】
2014015108.tif 000008